(57)【特許請求の範囲】
【請求項１】
透液性の表面シートと、不透液性の裏面シートと、前記表面シートと前記裏面シートとの間に介装される吸収体と、を有するペット用吸収性シートにおいて、
当該ペット用吸収性シートの周縁が前記表面シート側に折り返された折り返し部と、
前記折り返し部の対向する対向面同士が接着されている接着部と、
前記折り返し部の対向する対向面同士が接着されていない非接着部と、
を有し、
前記接着部には、前記折り返し部の折り返し起点に前記折り返し部の長手方向に沿って伸縮部材が設けられており、
前記非接着部には、前記折り返し部の先端に前記折り返し部の長手方向に沿って伸縮部材が設けられていることを特徴とするペット用吸収性シート。
【請求項２】
透液性の表面シートと、不透液性の裏面シートと、前記表面シートと前記裏面シートとの間に介装される吸収体と、を有するペット用吸収性シートにおいて、
当該ペット用吸収性シートの周縁が第１折り返し起点で前記表面シート側に折り返され、前記第１折り返し起点よりも外側の第２折り返し起点で前記裏面シート側に折り返された折り返し部と、
前記折り返し部の前記第１折り返し起点で折り返されることにより対向する前記表面シート同士が接着されている接着部と、
前記折り返し部の前記第１折り返し起点で折り返されることにより対向する前記表面シート同士が接着されていない非接着部と、
を有し、
前記接着部には、前記折り返し部の先端に前記折り返し部の長手方向に沿って伸縮部材が設けられており、
前記非接着部には、前記折り返し部の先端、前記第１折り返し起点及び前記第２折り返し起点に前記折り返し部の長手方向に沿って伸縮部材が設けられていることを特徴とするペット用吸収性シート。
【請求項３】
前記非接着部には、第２の吸収体が設けられていることを特徴とする請求項１又は２に記載のペット用吸収性シート。
【請求項４】
前記非接着部には、前記折り返し部の先端に前記折り返し部の幅方向に沿ってスリットが設けられていることを特徴とする請求項３に記載のペット用吸収性シート。
【請求項５】
当該ペット用吸収性シートの底面に補強材又は粘着材が設けられていることを特徴とする請求項１〜４のいずれか一項に記載のペット用吸収性シート。
【請求項６】
前記折り返し部よりも当該ペット用吸収性シートの中央側に前記折り返し部の長手方向に沿って、前記折り返し部を切り離すためのミシン目が設けられていることを特徴とする請求項１〜５のいずれか一項に記載のペット用吸収性シート。
【発明の詳細な説明】
【技術分野】
【０００１】
本発明は、ペット用吸収性シートに関する。
【背景技術】
【０００２】
従来、犬、猫等のペットが排泄した尿等を吸収するためのペット用吸収性シートが普及している。こうしたペット用吸収性シートとしては、透液性の表面シートと、不透液性の裏面シートと、表面シートと裏面シートとの間に介装される吸収体と、を備える構成が知られている。
【０００３】
ペットはシートの端部近傍に尿を排泄することが多いため、シートの端部から尿が漏れ、床等に溢れて汚れる原因となっている。
【０００４】
シートの縁部からの尿の漏出を防ぐために、例えば、シートの長手方向に沿って、裏面シートの端部、又は、互いに接合された表面シートと裏面シートの端部を折り返して形成された縁部を、伸縮部材で起立させて壁を作る技術が提案されている（特許文献１参照）。
【先行技術文献】
【特許文献】
【０００５】
【特許文献１】特開２００２−５８３７１号公報
【発明の概要】
【発明が解決しようとする課題】
【０００６】
しかしながら、上記従来技術のように、シートの端部を折り返して壁を作っても、尿が横流れしてしまい、確実に尿の漏出を防ぐことは困難であった。
【０００７】
本発明は上記の従来技術における問題に鑑みてなされたものであって、シートの端部から尿が漏出するのを防ぐことを課題とする。
【課題を解決するための手段】
【０００８】
上記課題を解決するために、請求項１に記載の発明は、
透液性の表面シートと、不透液性の裏面シートと、前記表面シートと前記裏面シートとの間に介装される吸収体と、を有するペット用吸収性シートにおいて、
当該ペット用吸収性シートの周縁が前記表面シート側に折り返された折り返し部と、
前記折り返し部の対向する対向面同士が接着されている接着部と、
前記折り返し部の対向する対向面同士が接着されていない非接着部と、
を有し、
前記接着部には、前記折り返し部の折り返し起点に前記折り返し部の長手方向に沿って伸縮部材が設けられており、
前記非接着部には、前記折り返し部の先端に前記折り返し部の長手方向に沿って伸縮部材が設けられていることを特徴とする。
【０００９】
請求項２に記載の発明は、
透液性の表面シートと、不透液性の裏面シートと、前記表面シートと前記裏面シートとの間に介装される吸収体と、を有するペット用吸収性シートにおいて、
当該ペット用吸収性シートの周縁が第１折り返し起点で前記表面シート側に折り返され、前記第１折り返し起点よりも外側の第２折り返し起点で前記裏面シート側に折り返された折り返し部と、
前記折り返し部の前記第１折り返し起点で折り返されることにより対向する前記表面シート同士が接着されている接着部と、
前記折り返し部の前記第１折り返し起点で折り返されることにより対向する前記表面シート同士が接着されていない非接着部と、
を有し、
前記接着部には、前記折り返し部の先端に前記折り返し部の長手方向に沿って伸縮部材が設けられており、
前記非接着部には、前記折り返し部の先端、前記第１折り返し起点及び前記第２折り返し起点に前記折り返し部の長手方向に沿って伸縮部材が設けられていることを特徴とする。
【００１０】
請求項３に記載の発明は、請求項１又は２に記載のペット用吸収性シートにおいて、
前記非接着部には、第２の吸収体が設けられていることを特徴とする。
【００１１】
請求項４に記載の発明は、請求項３に記載のペット用吸収性シートにおいて、
前記非接着部には、前記折り返し部の先端に前記折り返し部の幅方向に沿ってスリットが設けられていることを特徴とする。
【００１２】
請求項５に記載の発明は、請求項１〜４のいずれか一項に記載のペット用吸収性シートにおいて、
当該ペット用吸収性シートの底面に補強材又は粘着材が設けられていることを特徴とする。
【００１３】
請求項６に記載の発明は、請求項１〜５のいずれか一項に記載のペット用吸収性シートにおいて、
前記折り返し部よりも当該ペット用吸収性シートの中央側に前記折り返し部の長手方向に沿って、前記折り返し部を切り離すためのミシン目が設けられていることを特徴とする。
【発明の効果】
【００１４】
本発明によれば、接着部により尿をせき止める壁が形成され、非接着部により尿を捕捉するポケットが形成されるので、シートの端部から尿が漏出するのを防ぐことができる。
【図面の簡単な説明】
【００１５】
【図１】第１の実施の形態におけるペット用吸収性シートの斜視図である。
【図２】（ａ）は、図１のＡ−Ａに沿った接着部の断面図である。（ｂ）は、図１のＢ−Ｂに沿った非接着部の断面図である。
【図３】第１の実施の形態におけるペット用吸収性シートの模式図である。
【図４】（ａ）は、第２の実施の形態におけるペット用吸収性シートの接着部の断面図である。（ｂ）は、第２の実施の形態におけるペット用吸収性シートの非接着部の断面図である。
【図５】第３の実施の形態におけるペット用吸収性シートの底面図である。
【図６】第４の実施の形態におけるペット用吸収性シートの底面図である。
【図７】第５の実施の形態におけるペット用吸収性シートの模式図である。
【図８】ペット用吸収性シートを組み合わせた状態を示す図である。
【発明を実施するための形態】
【００１６】
以下、図を参照して、本発明に係るペット用吸収性シートの実施の形態を詳細に説明する。ただし、発明の範囲は、図示例に限定されない。
【００１７】
［第１の実施の形態］
まず、本発明の第１の実施の形態について説明する。
図１は、第１の実施の形態におけるペット用吸収性シート１の斜視図である。ペット用吸収性シート１は、略長方形の形状となっており、例えば、ペット用トイレの床面に敷いて使用され、ペットにより排泄された排泄物の水分を表面からシート内に吸収する。
【００１８】
ペット用吸収性シート１は、尿等の液体を速やかに透過させる透液性の表面シート２、表面シート２の裏面側に配置される不透液性の裏面シート３、これら表面シート２と裏面シート３との間に介装される吸収体１０（図２（ａ）及び（ｂ）参照）等を備えて構成されている。
【００１９】
表面シート２は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シート２に多数の透孔を形成した場合には、尿等の液体がより速やかに吸収されるようになり、ドライタッチ性に優れたものとなる。
【００２０】
裏面シート３は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シート３として用いることができる。
【００２１】
ペット用吸収性シート１の周縁において、表面シート２と裏面シート３とは、ホットメルト接着剤、ヒートシール、超音波シール等により貼り合わされている。
【００２２】
ペット用吸収性シート１の周縁は、表面シート２側に折り返され、折り返し部４が形成されている。折り返し部４は、折り返し部４の対向する対向面同士が接着されている接着部５と、折り返し部４の対向する対向面同士が接着されていない非接着部６と、から構成される。
【００２３】
図２（ａ）は、図１のＡ−Ａに沿った接着部５の断面図である。
ペット用吸収性シート１は、表面シート２と裏面シート３との間に吸収体１０が介装されている。
【００２４】
吸収体１０は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体を構成することもできる。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体１０に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２５】
接着部５では、ホットメルト接着剤、ヒートシール、超音波シール等により、折り返し部４の表面シート２同士が接着されている。接着部５には、折り返し部４の折り返し起点に、折り返し部４の長手方向に沿って、伸縮部材としての糸ゴム７が設けられており、糸ゴム７の収縮力により、折り返し部４が起立し、壁Ｗが形成される。折り返し部４は、ペット用吸収性シート１の周縁に帯状に形成されているため、折り返し部４の長手方向とは、ペット用吸収性シート１の周縁に沿った方向、すなわち、ペット用吸収性シート１の長方形状の各辺に沿った方向である。
【００２６】
図２（ｂ）は、図１のＢ−Ｂに沿った非接着部６の断面図である。
非接着部６には、折り返し部４の先端に、折り返し部４の長手方向に沿って、伸縮部材としての糸ゴム８が設けられており、糸ゴム８の収縮力により、ポケット状の空間（ポケットＰ）が形成される。
【００２７】
また、非接着部６には、表面シート２と裏面シート３の間に第２の吸収体１１が設けられている。また、非接着部６には、折り返し部４の先端に、折り返し部４の幅方向（折り返し部４の長手方向と直交する方向）に沿って、スリット９が設けられている。ペット用吸収性シート１の折り返し部４付近でペットが尿をした場合には、非接着部６により形成されるポケットＰに尿が入り込み、第２の吸収体１１により吸収される。
【００２８】
図３は、ペット用吸収性シート１の模式図である。ただし、図３は、壁Ｗを形成する接着部５及びポケットＰを形成する非接着部６を外側に広げた状態の図である。すなわち、図３に示すペット用吸収性シート１の最外周が、図２（ａ）に示す壁Ｗの上部や、図２（ｂ）に示すポケットＰのふくらみの上部に相当する。
【００２９】
第１の実施の形態におけるペット用吸収性シート１によれば、接着部５により尿をせき止める壁Ｗが形成され、非接着部６により尿を捕捉するポケットＰが形成されるので、ペットがシートの端で尿をした場合であっても、シートの端部から尿が漏出するのを防ぐことができる。また、尿が壁Ｗを伝って横流れしても、ポケットＰで尿を捕捉することができる。
【００３０】
また、非接着部６に第２の吸収体１１を設けることにより、入り込んだ尿をしっかり吸収することができる。さらに、非接着部６において、折り返し部４の先端にスリット９を設けることにより、非接着部６に尿が入りやすくなる。したがって、尿が溢れて漏出するのを防ぐことができる。
【００３１】
なお、第１の実施の形態では、非接着部６の折り返し部４の先端にスリット９が１箇所設けられている場合を例にして説明したが、各非接着部６にスリットが２箇所以上設けられていてもよい。
【００３２】
また、第１の実施の形態では、第２の吸収体１１が吸収体１０とは別体である場合を例にして説明したが、第２の吸収体１１と吸収体１０とが一体になっていてもよい。
【００３３】
［第２の実施の形態］
次に、本発明の第２の実施の形態について説明する。
図４（ａ）は、第２の実施の形態におけるペット用吸収性シート２０の接着部５ａの断面図であり、図４（ｂ）は、ペット用吸収性シート２０の非接着部６ａの断面図である。
【００３４】
ペット用吸収性シート２０は、接着部５ａ及び非接着部６ａの形状が第１の実施の形態におけるペット用吸収性シート１と異なるが、その他の構成についてはペット用吸収性シート１と同様であるため、対応する構成については、ペット用吸収性シート１と同じ符号を用い、説明を省略する。
【００３５】
図４（ａ）及び（ｂ）に示すように、ペット用吸収性シート２０の折り返し部４は、第１折り返し起点２１で折り返し部４の幅方向内側に折り返され、第２折り返し起点２２で折り返し部４の幅方向外側に折り返されている。すなわち、ペット用吸収性シート２０の折り返し部４は、Ｚ折りにされている。
【００３６】
図４（ａ）に示すように、接着部５ａでは、第１折り返し起点２１で折り返されることにより対向する対向面同士が接着されている。具体的には、第１折り返し起点２１で折り返される表面シート２同士が接着されている。また、接着部５ａには、折り返し部４の先端に、折り返し部４の長手方向に沿って、糸ゴム２３が設けられており、糸ゴム２３の収縮力により、折り返し部４の先端が起立し、壁Ｗが形成される。
【００３７】
図４（ｂ）に示すように、非接着部６ａでは、第１折り返し起点２１及び第２折り返し起点２２で折り返されることにより対向する対向面同士が接着されていない。非接着部６ａには、第１折り返し起点２１、第２折り返し起点２２、折り返し部４の先端のそれぞれに、折り返し部４の長手方向に沿って、糸ゴム２４，２５，２６が設けられている。また、非接着部６ａには、表面シート２と裏面シート３の間に第２の吸収体２７，２８が設けられている。
【００３８】
なお、ペット用吸収性シート２０の長方形状の各辺の端部において、第１折り返し起点２１と第２折り返し起点２２の間の面と、第２折り返し起点２２と折り返し部４の先端の間の面とが接着されている。
【００３９】
第２の実施の形態におけるペット用吸収性シートによれば、折り返し部４をＺ折りにすることにより、よりポケットＰの入り口が立ち上がりやすくなり、尿を捕捉しやすくなる。
【００４０】
第２の実施の形態では、接着部５ａ及び非接着部６ａの折り方がＺ折り（２重折り）の場合について説明したが、Ｚ折りに限らず、ジャバラ折りの数を増やしてもよい。
【００４１】
また、第２の実施の形態では、第２の吸収体２７，２８が吸収体１０とは別体である場合を例にして説明したが、第２の吸収体２７，２８と吸収体１０とが一体になっていてもよい。
【００４２】
［第３の実施の形態］
次に、本発明の第３の実施の形態について説明する。
図５は、第３の実施の形態におけるペット用吸収性シート３０の底面図である。
ペット用吸収性シート３０の底面には、補強材３１，３２，３３，３４が設けられている。補強材３１，３２，３３，３４としては、例えば、プラスチックシート等、硬く変形し難い素材が用いられる。
【００４３】
第３の実施の形態におけるペット用吸収性シート３０は、補強材３１，３２，３３，３４が設けられている点が第１の実施の形態におけるペット用吸収性シート１と異なるが、その他の構成についてはペット用吸収性シート１と同様であるため、対応する構成については、ペット用吸収性シート１と同じ符号を用い、説明を省略する。
【００４４】
補強材３１，３２は、ペット用吸収性シート３０が図５に示すＸ方向に湾曲するのを防ぎ、補強材３３，３４は、ペット用吸収性シート３０が図５に示すＹ方向に湾曲するのを防ぐ。
【００４５】
第３の実施の形態におけるペット用吸収性シート３０によれば、ペット用吸収性シート３０の底面に補強材３１，３２，３３，３４を設けることにより、接着部５及び非接着部６に設けられた糸ゴム７，８の収縮力によりシートが湾曲するのを防ぎ、シートをフラットな状態で使用することができる。
【００４６】
［第４の実施の形態］
次に、本発明の第４の実施の形態について説明する。
図６は、第４の実施の形態におけるペット用吸収性シート４０の底面図である。
ペット用吸収性シート４０の底面には、粘着材４１，４２，４３，４４が設けられている。粘着材４１，４２，４３，４４としては、粘着テープやシール等が用いられる。
【００４７】
第４の実施の形態におけるペット用吸収性シート４０は、粘着材４１，４２，４３，４４が設けられている点が第１の実施の形態におけるペット用吸収性シート１と異なるが、その他の構成についてはペット用吸収性シート１と同様であるため、対応する構成については、ペット用吸収性シート１と同じ符号を用い、説明を省略する。
【００４８】
ペット用吸収性シート４０を使用する際には、ペット用吸収性シート４０を設置する床面に、粘着材４１，４２，４３，４４でペット用吸収性シート４０を固定する。
【００４９】
第４の実施の形態におけるペット用吸収性シート４０によれば、ペット用吸収性シート４０の底面に粘着材４１，４２，４３，４４を設けることにより、接着部５及び非接着部６に設けられた糸ゴム７，８の収縮力によりシートが湾曲するのを防ぎ、シートをフラットな状態で使用することができる。
【００５０】
［第５の実施の形態］
次に、本発明の第５の実施の形態について説明する。
図７は、第５の実施の形態におけるペット用吸収性シート５０の模式図である。
【００５１】
第５の実施の形態におけるペット用吸収性シート５０は、ミシン目５１，５２，５３，５４が設けられている点が第１の実施の形態におけるペット用吸収性シート１と異なるが、その他の構成についてはペット用吸収性シート１と同様であるため、対応する構成については、ペット用吸収性シート１と同じ符号を用い、説明を省略する。
【００５２】
図７は、図３と同様、接着部５及び非接着部６を外側に広げた状態の図である。
ペット用吸収性シート５０には、折り返し部４よりもペット用吸収性シート５０の中央側に、折り返し部４の長手方向に沿って、折り返し部４を切り離すためのミシン目５１，５２，５３，５４が設けられている。
【００５３】
ペット用吸収性シート５０は、１枚で使用してもよいが、ペットの大きさ等に応じて、複数枚組み合わせて使用することが可能である。
例えば、２枚のペット用吸収性シート５０のそれぞれについて、ミシン目５１又はミシン目５３の位置で折り返し部４を切り離し、図８に示すように、折り返し部４を切り離した２枚のペット用吸収性シート５０を重ねて組み合わせることができる。
また、３枚以上のペット用吸収性シート５０を組み合わせて使用してもよい。
【００５４】
第５の実施の形態におけるペット用吸収性シート５０によれば、ミシン目５１，５２，５３，５４を設けることで、折り返し部４を切り離すことができるので、複数のペット用吸収性シート５０を組み合わせ、大きさ及び形状を変えて使用することができる。
【００５５】
なお、上記各実施の形態における記述は、本発明に係るペット用吸収性シートの例であり、これに限定されるものではない。ペット用吸収性シートを構成する各部の細部構成に関しても本発明の趣旨を逸脱することのない範囲で適宜変更可能である。
【００５６】
例えば、上記各実施の形態では、折り返し部４が表面シート２と裏面シート３とにより構成される場合を例にして説明したが、折り返し部４は、尿を外側に漏出させない構造となっていればよく、裏面シート３のみで構成されていてもよい。
【００５７】
また、上記各実施の形態では、表面シート２及び裏面シート３が吸収体１０の外側に広がっている部分を折り返し部４とした場合について説明したが、折り返し部４は、ペット用吸収性シートの周縁に別体として設けられていてもよい。その際、折り返し部４として、ペット用吸収性シートの周縁より長いものを伸縮部材により収縮させて用いてもよい。この場合、接着部５により形成される壁Ｗや、非接着部６により形成されるポケットＰが、より起立しやすくなる。
【００５８】
また、各実施の形態に、他の一又は複数の実施の形態の特徴的な構成を組み合わせてもよい。
【符号の説明】
【００５９】
１  ペット用吸収性シート
２  表面シート
３  裏面シート
４  折り返し部
５  接着部
５ａ  接着部
６  非接着部
６ａ  非接着部
７  糸ゴム（伸縮部材）
８  糸ゴム（伸縮部材）
９  スリット
１０  吸収体
１１  第２の吸収体
２０  ペット用吸収性シート
２１  第１折り返し起点
２２  第２折り返し起点
２３  糸ゴム（伸縮部材）
２４，２５，２６  糸ゴム（伸縮部材）
２７，２８  第２の吸収体
３０  ペット用吸収性シート
３１，３２，３３，３４  補強材
４０  ペット用吸収性シート
４１，４２，４３，４４  粘着材
５０  ペット用吸収性シート
５１，５２，５３，５４  ミシン目
【図１】
0005838052.tif 000002
【図２】
0005838052.tif 000003
【図３】
0005838052.tif 000004
【図４】
0005838052.tif 000005
【図５】
0005838052.tif 000006
【図６】
0005838052.tif 000007
【図７】
0005838052.tif 000008
【図８】
0005838052.tif 000009